(57)【特許請求の範囲】
【請求項１】
高周波通信を実施するための処理方法であって、
最初に接続されている基地局によって、前記最初に接続されている基地局によりサービスされるユーザ装置（ＵＥ）がカバレッジホール状態にある場合に、対象のアクセスされるべき基地局にスキャン要求メッセージを送信するステップと、
前記対象のアクセスされるべき基地局により送信されるスキャン確認情報を受信するステップと、
前記対象のアクセスされるべき基地局に前記ＵＥに関する情報を送信するステップであって、その結果、前記対象のアクセスされるべき基地局が前記ＵＥに関する前記情報に従って前記ＵＥをスキャンし、前記ＵＥと前記対象のアクセスされるべき基地局との間の高周波接続を確立する、ステップと、
事前設定された期間の間隔で前記ＵＥの位置をカバーする全てのビームを検出するとともに、前記ＵＥにビーム情報を送信するステップであって、前記ビーム情報が、ビーム識別子、セル識別子、及びアレイ識別子を含む、ステップと、
前記ＵＥにより送信される測定結果を受信するとともに、前記測定結果に従って代替ビームを判定するステップであって、前記代替ビームが、前記ＵＥと前記アクセスされるべき基地局との間で高周波接続が確立されることを可能にするビームである、ステップとを含む、方法。
【請求項２】
前記対象のアクセスされるべき基地局が、前記ＵＥの位置をカバーするビームが属する基地局のことを指す、請求項１に記載の方法。
【請求項３】
前記カバレッジホール状態が、受信された前記ＵＥのアップリンク信号品質が、事前設定された信号品質しきい値より小さいこと、前記ＵＥによりフィードバックされたチャネル品質が、チャネル品質しきい値より小さいこと、前記ＵＥからのフィードバックが、事前設定された時間内に受信されないこと、前記ＵＥの受信データのビット誤り率が、事前設定されたビット誤り率しきい値に達すること、又は、前記ＵＥの受信データ信号品質が、復調が実行されることができない状態に悪化することを含む、請求項１又は請求項２に記載の方法。
【請求項４】
前記ＵＥに関する前記情報が、ＵＥ識別子、ＵＥスキャン期間、ＵＥ測位情報、及びビーム識別子を含む、請求項１から請求項３のいずれか一項に記載の方法。
【請求項５】
高周波通信を実施するための当該処理方法が、
前記対象のアクセスされるべき基地局と前記ＵＥとの間で前記高周波接続が確立されたあとで、ＵＥ高周波接続ステータスを搬送するフィードバックメッセージを受信するとともに、前記ＵＥに対する前記高周波接続を確立する前記基地局を除く、前記対象のアクセスされるべき基地局中の他の基地局に、スキャン停止要求メッセージを送信するステップを更に含む、請求項１から請求項４のいずれか一項に記載の方法。
【請求項６】
高周波通信を実施するための処理方法であって、
ユーザ装置（ＵＥ）に最初に接続されている基地局により送信されるスキャン要求メッセージを受信するステップと、
前記ＵＥに最初に接続されている前記基地局にスキャン確認メッセージを送信するステップと、
前記ＵＥに最初に接続されている前記基地局により送信される前記ＵＥに関する情報を受信するステップと、
現在の負荷に従って前記ＵＥに時間−周波数リソースを割り当てるステップと、
前記ＵＥに関する前記情報に従って前記ＵＥの位置を判定するステップと、
前記時間−周波数リソース及び前記ＵＥの前記位置に従って前記ＵＥの前記位置に対してビームを発射するステップであって、その結果、前記ＵＥがアップリンクビームとダウンリンクビームとをペアにするとともに前記ビームをロックし、そして前記ＵＥが高周波接続を確立する、ステップとを含む、方法。
【請求項７】
当該方法が、
前記ＵＥに最初に接続されている前記基地局に高周波リンク接続ステータスを搬送する接続応答メッセージを送信するステップを更に含む、請求項６に記載の方法。
【請求項８】
前記ＵＥに関する前記情報が、ＵＥ識別子、ＵＥスキャン期間、ＵＥ測位情報、及びビーム識別子を含む、請求項６又は請求項７に記載の方法。
【請求項９】
高周波通信を実施するための処理装置であって、
最初に接続されている基地局によりサービスされるユーザ装置（ＵＥ）がカバレッジホール状態にある場合に、対象のアクセスされるべき基地局にスキャン要求メッセージを送信するように構成されるトランシーバモジュールを備え、
前記トランシーバモジュールが、前記対象のアクセスされるべき基地局により送信されるスキャン確認情報を受信し、前記対象のアクセスされるべき基地局に前記ＵＥに関する情報を送信し、その結果、前記対象のアクセスされるべき基地局が前記ＵＥに関する前記情報に従って前記ＵＥをスキャンし、前記ＵＥと前記対象のアクセスされるべき基地局との間の高周波接続を確立する、ように更に構成され、
前記トランシーバモジュールが、
事前設定された期間の間隔で前記ＵＥの位置をカバーする全てのビームを検出するとともに、前記ＵＥにビーム情報を送信し、前記ビーム情報が、ビーム識別子、セル識別子、及びアレイ識別子を含み、
前記ＵＥにより送信される測定結果を受信するとともに、前記測定結果に従って代替ビームを判定し、前記代替ビームが、前記ＵＥと前記アクセスされるべき基地局との間で高周波接続が確立されることを可能にするビームである、ように更に構成される、装置。
【請求項１０】
前記対象のアクセスされるべき基地局が、前記ＵＥの位置をカバーするビームが属するアクセスされるべき基地局のことを指す、請求項９に記載の装置。
【請求項１１】
前記カバレッジホール状態が、受信された前記ＵＥのアップリンク信号品質が、事前設定された信号品質しきい値より小さいこと、前記ＵＥによりフィードバックされたチャネル品質が、チャネル品質しきい値より小さいこと、前記ＵＥからのフィードバックが、事前設定された時間内に受信されないこと、前記ＵＥの受信データのビット誤り率が、事前設定されたビット誤り率しきい値に達すること、又は、前記ＵＥの受信データ信号品質が、復調が実行されることができない状態に悪化することを含む、請求項９又は請求項１０に記載の装置。
【請求項１２】
前記ＵＥに関する前記情報が、ＵＥ識別子、ＵＥスキャン期間、ＵＥ測位情報、及びビーム識別子を含む、請求項９から請求項１１のいずれか一項に記載の装置。
【請求項１３】
前記トランシーバモジュールが、高周波接続ステータスを搬送する接続応答メッセージを受信したあとで、前記ＵＥに対する前記高周波接続を確立する前記基地局を除く、前記対象のアクセスされるべき基地局中の他の基地局に、スキャン停止要求メッセージを送信するように更に構成される、請求項９から請求項１２のいずれか一項に記載の装置。
【請求項１４】
高周波通信を実施するための処理装置であって、
ユーザ装置（ＵＥ）に最初に接続されている基地局により送信されるスキャン要求メッセージを受信するように構成されるトランシーバモジュールであって、当該トランシーバモジュールが、前記ＵＥに最初に接続されている前記基地局にスキャン確認メッセージを送信するとともに、前記ＵＥに最初に接続されている前記基地局により送信される前記ＵＥに関する情報を受信するように更に構成される、前記トランシーバモジュールと、
前記ＵＥに関する前記情報に従って前記ＵＥをスキャンし、その結果、前記ＵＥが高周波接続を確立する、ように構成されるスキャンモジュールとを備え、
当該装置が、割り当てモジュールと、判定モジュールとを更に備え、
前記割り当てモジュールが、現在の負荷に従って前記ＵＥに時間−周波数リソースを割り当てるように構成され、
前記判定モジュールが、前記ＵＥに関する前記情報に従って前記ＵＥの位置を判定するように構成され、
前記スキャンモジュールが、前記時間−周波数リソース及び前記ＵＥの前記位置に従って前記ＵＥの前記位置に対してビームを発射し、その結果、前記ＵＥがアップリンクビームとダウンリンクビームとをペアにするとともに前記ビームをロックし、そして前記ＵＥが前記高周波接続を確立する、ように構成される、装置。
【請求項１５】
前記トランシーバモジュールが、前記ＵＥに最初に接続されている前記基地局に高周波リンク接続ステータスを搬送する接続応答メッセージを送信し、その結果、前記ＵＥに最初に接続されている前記基地局が、前記接続応答メッセージに従って前記ＵＥをスキャンすることを停止するとともに、前記ＵＥに対する高周波接続を確立する基地局を除く、対象のアクセスされるべき基地局中の他の基地局に、スキャン停止要求メッセージを送信する、ように更に構成される、請求項１４に記載の装置。
【請求項１６】
高周波通信を実施するための処理装置であって、
最初に接続されている基地局によりサービスされるユーザ装置（ＵＥ）がカバレッジホール状態にある場合に、対象のアクセスされるべき基地局にスキャン要求メッセージを送信するように構成される送信機であって、
当該送信機が、前記対象のアクセスされるべき基地局により送信されるスキャン確認情報を受信するように更に構成され、
当該送信機が、前記対象のアクセスされるべき基地局に前記ＵＥに関する情報を送信し、その結果、前記対象のアクセスされるべき基地局が前記ＵＥに関する前記情報に従って前記ＵＥをスキャンし、前記ＵＥと前記対象のアクセスされるべき基地局との間の高周波接続を確立する、ように更に構成され、
当該送信機が、事前設定された期間の間隔で前記ＵＥの位置をカバーする全てのビームを検出するとともに、前記ＵＥにビーム情報を送信し、前記ビーム情報が、ビーム識別子、セル識別子、及びアレイ識別子を含む、ように更に構成され、
当該送信機が、前記ＵＥにより送信される測定結果を受信するように更に構成される、送信機と、
前記測定結果に従って代替ビームを判定するように構成されるプロセッサであって、前記代替ビームが、前記ＵＥと前記アクセスされるべき基地局との間で高周波接続が確立されることを可能にするビームである、プロセッサとを備える、装置。
【請求項１７】
高周波通信を実施するための処理装置であって、
ユーザ装置（ＵＥ）に最初に接続されている基地局により送信されるスキャン要求メッセージを受信するように構成される送信機であって、
当該送信機が、前記ＵＥに最初に接続されている前記基地局にスキャン確認メッセージを送信するとともに、前記ＵＥに最初に接続されている前記基地局により送信される前記ＵＥに関する情報を受信するように更に構成され、
当該送信機が、前記ＵＥに関する前記情報に従って前記ＵＥをスキャンし、その結果、前記ＵＥが高周波接続を確立する、ように更に構成される、送信機と、
現在の負荷に従って前記ＵＥに時間−周波数リソースを割り当てるように構成されるプロセッサであって、
当該プロセッサが、前記ＵＥに関する前記情報に従って前記ＵＥの位置を判定するように構成される、プロセッサとを備え、
前記送信機が、前記時間−周波数リソース及び前記ＵＥの前記位置に従って前記ＵＥの前記位置に対してビームを発射し、その結果、前記ＵＥがアップリンクビームとダウンリンクビームとをペアにするとともに前記ビームをロックし、そして前記ＵＥが前記高周波接続を確立する、ように更に構成される、装置。
【発明の詳細な説明】
【技術分野】
【０００１】
本発明の実施例は、無線通信技術に関するとともに、特に、カバレッジホールにおいて高周波通信を実施するための処理方法及び装置、並びにデバイスに関する。
【背景技術】
【０００２】
通信技術の急速な発展に伴い、通信ネットワークでは、システム容量、データスループット率、伝送遅延、及び伝送信頼性に対する要求がますます高まっている。しかしながら、従来のマイクロ波周波数帯域が提供することができる帯域幅は限られており、ますます増加する要求を満たすことができず、したがって、移動通信は、より高い周波数帯域を有するミリ波帯域に必然的に発展することになる。現在、ミリ波（高周波）通信の利点は、大容量と、高いデータスループット率である。しかしながら、大気、水霧、及び障害物のために、ミリ波通信の減衰は大きく、一般に、高周波基地局のカバレッジは比較的小さい。さらに、高周波ネットワーク通信では、ミリ波が、環境干渉、例えば建築妨害物、人体妨害物、又は干渉のような要因の影響を受けやすいために、高周波基地局のカバレッジエリア内に、特定の確率でカバレッジホールが現れ、ユーザ装置（User  Equipment、略してＵＥ）により受信された信号は、非常に弱く、有効に復調することさえできない。
【０００３】
従来技術では、前述の技術的課題を解決するために、マルチレベルビームスイッチングメカニズムを主に導入し、それにより、高周波通信の信頼性を保証している。具体的には、マルチレベルビームスイッチングメカニズムの動作原理は、主に下記の通りである。高−低周波ハイブリッドネットワーキングの場合に、ＵＥは、同じ基地局又は異なる基地局から多くのビームを受信してもよく、リンクにアクセスするために最良の信号品質を有するビームを選択したあとで、ＵＥは、依然として、受信され得る他のビームの信号を周期的に測定するとともに、アクセスされ得るリンクを満足させる対象のビームに優先順位を付け、ここで、優先順位は、下記のようになり得る。（１）現在アクセスされているビームの制御チャネルのような制御チャネルに対応すること。（２）現在アクセスされているビームの制御チャネルとは異なる制御チャネルに対応するが、しかし同じセルに接続されていること。（３）現在アクセスされているビームのセルとは異なるセルに接続されているが、同じセルラ基地局に接続されていること。（４）現在アクセスされているビームに接続されているセルラ基地局とは異なるセルラ基地局に有線で接続されていること。（５）現在アクセスされているビームに接続されているセルラ基地局とは異なるセルラ基地局に無線で接続されていること。アクセスされているビームの通信品質が悪化し、通信が切断された場合でも、ＵＥは、最初に現在のビームの通信品質を回復しようと試みるとともに、もし通信品質が回復できないならば、前述の優先順位に従って他の対象のビームに切り替えて、通信の連続性を維持する。
【０００４】
しかしながら、従来技術では、ＵＥが障害物又は他の干渉の妨害のためにカバレッジホールに入った場合に、リンクが、突然切断されるか、又は、正常な復調が実行されることができない状態に悪化し、この場合、切り替えられ得るビームが存在しないか、又は、切り替え用に使用され得るビームが障害物によって遮断されるか、若しくは他の干渉の影響を受ける場合に、信号品質が、正常な受信が実行されることができず、高周波通信が切断される状態に悪化し、それは、依然として、比較的低いシステム信頼性の問題を引き起こす。
【発明の概要】
【０００５】
本発明の実施例は、システム信頼性を向上させるために、カバレッジホールにおいて高周波通信を実施するための処理方法及び装置、並びにデバイスを提供する。
【０００６】
第１の態様によれば、本発明の実施例は、カバレッジホールにおいて高周波通信を実施するための処理方法であって、ＵＥとＵＥに現在サービスする基地局との間の高周波リンクが切断されるかどうかを検出するステップと、もしＵＥとＵＥに現在サービスする基地局との間の高周波リンクが切断されたと判定されるならば、ＵＥの位置をカバーすることができるビームが属する１つ又は複数のアクセスされるべき基地局にスキャン要求メッセージを送信するステップであって、その結果、１つ又は複数のアクセスされるべき基地局が、スキャン要求メッセージ及び現在の負荷に従って、ＵＥをスキャンするかどうかを判定する、ステップと、ＵＥに対するスキャンを確認するとともに、１つ又は複数のアクセスされるべき基地局により送信されるスキャン確認メッセージを受信したあとで、スキャン確認情報をフィードバックする１つ又は複数のアクセスされるべき基地局にＵＥに関する情報を送信するステップであって、その結果、スキャン確認情報をフィードバックする１つ又は複数のアクセスされるべき基地局がＵＥに関する情報に従ってＵＥを高速にスキャンし、それにより、ＵＥとアクセスされるべき基地局との間の高周波接続を再確立する、ステップとを含む、方法を提供する。
【０００７】
第１の態様に関連して、第１の態様の第１の可能な実施方法において、アクセスされるべき基地局は、現在ＵＥにサービスする基地局と、ＵＥに対する高周波接続を確立することができる他の基地局とを含む。
【０００８】
第１の態様に関連して、第１の態様の第２の可能な実施方法において、アクセスされるべき基地局は、現在ＵＥにサービスする基地局を除く、ＵＥに対する高周波接続を確立することができる他の基地局のうちの少なくとも１つである。
【０００９】
第１の態様に関連して、第１の態様の第３の可能な実施方法において、ＵＥに関する情報は、ＵＥ識別子、ＵＥスキャン期間、ＵＥ測位情報、及びビーム識別子を含む。
【００１０】
第１の態様、又は第１の態様の第１から第１の態様の第３の可能な実施方法のうちのいずれか１つに関連して、第１の態様の第４の可能な実施方法において、スキャン確認情報をフィードバックする１つ又は複数のアクセスされるべき基地局がＵＥに関する情報に従ってＵＥを高速にスキャンし、それにより、ＵＥとアクセスされるべき基地局との間の高周波接続を再確立するように、スキャン確認情報をフィードバックする１つ又は複数のアクセスされるべき基地局にＵＥに関する情報を送信するステップのあとで、当該方法は、高周波接続ステータスを搬送する接続応答メッセージを受信したあとで、ＵＥに対する高周波接続を再確立する基地局を除く、スキャン確認情報をフィードバックするアクセスされるべき基地局中の他の基地局に、スキャン停止要求メッセージを送信するステップを更に含む。
【００１１】
第１の態様、又は第１の態様の第１から第１の態様の第４の可能な実施方法のうちのいずれか１つに関連して、第１の態様の第５の可能な実施方法において、当該方法は、事前設定された期間の間隔でＵＥの位置をカバーすることができる全てのビームを検出するとともに、ＵＥにビーム情報を送信するステップであって、その結果、ＵＥが、ビーム情報に従ってビームを測定するとともに測定結果を取得し、ビーム情報が、ビーム識別子、セル識別子、及びアレイ識別子を含む、ステップと、ＵＥにより送信される測定結果を受信するとともに、測定結果に従って代替ビームを判定するステップであって、代替ビームが、ＵＥとアクセスされるべき基地局との間で高周波接続が確立されることを可能にするビームである、ステップとを更に含む。
【００１２】
第１の態様、又は第１の態様の第１から第１の態様の第５の可能な実施方法のうちのいずれか１つに関連して、第１の態様の第６の可能な実施方法において、当該方法は、事前設定された期間の間隔でＵＥの現在の位置を取得するとともに、現在の位置をＵＥの位置として使用するステップを更に含む。
【００１３】
第２の態様によれば、本発明の実施例は、カバレッジホールにおいて高周波通信を実施するための処理方法であって、ユーザ装置ＵＥに最初に接続されている基地局により送信されるスキャン要求メッセージを受信するとともに、スキャン要求メッセージ及び現在の負荷に従って、ＵＥをスキャンするかどうかを判定するステップと、もしＵＥがスキャンされる必要があると判定されるならば、ＵＥに最初に接続されている基地局にスキャン確認メッセージを送信するとともに、ＵＥに最初に接続されている基地局により送信されるＵＥに関する情報を受信するステップと、ＵＥに関する情報に従ってＵＥを高速にスキャンするステップであって、その結果、ＵＥが高周波接続を再確立する、ステップとを含む、方法を提供する。
【００１４】
第２の態様に関連して、第２の態様の第１の可能な実施方法において、ＵＥに関する情報に従ってＵＥを高速にスキャンするステップであって、その結果、ＵＥが高周波接続を再確立する、ステップのまえに、当該方法は、現在の負荷に従ってＵＥに時間−周波数リソースを割り当てるステップを更に含み、ＵＥに関する情報に従ってＵＥを高速にスキャンするステップであって、その結果、ＵＥが高周波接続を再確立する、ステップは、ＵＥに関する情報に従ってＵＥの位置を判定するステップと、時間−周波数リソース及びＵＥの位置に従ってＵＥの位置に対してビームを発射するステップであって、その結果、ＵＥがアップリンクビームとダウンリンクビームとをペアにするとともにビームをロックし、そしてＵＥが高周波接続を再確立する、ステップとを具体的に含む。
【００１５】
第２の態様、又は第２の態様の第１の可能な実施方法に関連して、第２の態様の第２の可能な実施方法において、ＵＥに関する情報に従ってＵＥを高速にスキャンするステップであって、その結果、ＵＥが高周波接続を再確立する、ステップのあとに、当該方法は、ＵＥに最初に接続されている基地局に高周波リンク接続ステータスを搬送する接続応答メッセージを送信するステップであって、その結果、ＵＥに最初に接続されている基地局が、接続応答メッセージに従ってＵＥを高速にスキャンすることを停止するとともに、ＵＥに対する高周波接続を再確立する基地局を除く、スキャン確認メッセージを送信するアクセスされるべき基地局中の他の基地局に、スキャン停止要求メッセージを送信する、ステップを更に含む。
【００１６】
第２の態様、又は第２の態様の第１から第２の態様の第２の可能な実施方法のいずれかに関連して、第２の態様の第３の可能な実施方法において、ＵＥに関する情報は、ＵＥ識別子、ＵＥスキャン期間、ＵＥ測位情報、及びビーム識別子を含む。
【００１７】
第３の態様によれば、本発明の実施例は、カバレッジホールにおいて高周波通信を実施するための処理装置であって、ＵＥとＵＥに現在サービスする基地局との間の高周波リンクが切断されるかどうかを検出するように構成される検出モジュールと、もしＵＥとＵＥに現在サービスする基地局との間の高周波リンクが切断されたと判定されるならば、ＵＥの位置をカバーすることができるビームが属する１つ又は複数のアクセスされるべき基地局にスキャン要求メッセージを送信し、その結果、１つ又は複数のアクセスされるべき基地局が、スキャン要求メッセージ及び現在の負荷に従って、ＵＥをスキャンするかどうかを判定する、ように構成されるトランシーバモジュールとを含み、トランシーバモジュールが、ＵＥに対するスキャンを確認するとともに、１つ又は複数のアクセスされるべき基地局により送信されるスキャン確認メッセージを受信したあとで、スキャン確認情報をフィードバックする１つ又は複数のアクセスされるべき基地局にＵＥに関する情報を送信し、その結果、スキャン確認情報をフィードバックする１つ又は複数のアクセスされるべき基地局がＵＥに関する情報に従ってＵＥを高速にスキャンし、それにより、ＵＥとアクセスされるべき基地局との間の高周波接続を再確立する、ように更に構成される、装置を提供する。
【００１８】
第３の態様に関連して、第３の態様の第１の可能な実施方法において、１つ又は複数のアクセスされるべき基地局は、現在ＵＥにサービスする基地局と、ＵＥに対する高周波接続を確立することができる他の基地局とを含む。
【００１９】
第３の態様に関連して、第３の態様の第２の可能な実施方法において、アクセスされるべき基地局は、現在ＵＥにサービスする基地局を除く、ＵＥに対する高周波接続を確立することができる他の基地局のうちの少なくとも１つである。
【００２０】
第３の態様に関連して、第３の態様の第３の可能な実施方法において、ＵＥに関する情報は、ＵＥ識別子、ＵＥスキャン期間、ＵＥ測位情報、及びビーム識別子を含む。
【００２１】
第３の態様、又は第３の態様の第１から第３の態様の第３の可能な実施方法のうちのいずれか１つに関連して、第３の態様の第４の可能な実施方法において、トランシーバモジュールは、高周波接続ステータスを搬送する接続応答メッセージを受信したあとで、ＵＥに対する高周波接続を再確立する基地局を除く、スキャン確認情報をフィードバックするアクセスされるべき基地局中の他の基地局に、スキャン停止要求メッセージを送信するように更に構成される。
【００２２】
第３の態様、又は第３の態様の第１から第３の態様の第４の可能な実施方法のうちのいずれか１つに関連して、第３の態様の第５の可能な実施方法において、当該装置は、判定モジュールを更に含み、検出モジュールは、事前設定された期間の間隔でＵＥの位置をカバーすることができる全てのビームを検出するように更に構成され、トランシーバモジュールは、ＵＥにビーム情報を送信し、その結果、ＵＥが、ビーム情報に従ってビームを測定するとともに測定結果を取得し、ビーム情報が、ビーム識別子、セル識別子、及びアレイ識別子を含む、ように更に構成され、トランシーバモジュールは、ＵＥにより送信される測定結果を受信するように更に構成されるとともに、判定モジュールは、測定結果に従って代替ビームを判定し、代替ビームが、ＵＥとアクセスされるべき基地局との間で高周波接続が確立されることを可能にするビームである、ように構成される。
【００２３】
第３の態様、又は第３の態様の第１から第３の態様の第５の可能な実施方法のうちのいずれか１つに関連して、第３の態様の第６の可能な実施方法において、当該装置は、事前設定された期間の間隔でＵＥの現在の位置を取得するとともに、現在の位置をＵＥの位置として使用するように構成される取得モジュールを更に含む。
【００２４】
第４の態様によれば、本発明の実施例は、カバレッジホールにおいて高周波通信を実施するための処理装置であって、ユーザ装置ＵＥに最初に接続されている基地局により送信されるスキャン要求メッセージを受信するように構成されるトランシーバモジュールと、スキャン要求メッセージ及び現在の負荷に従って、ＵＥがスキャンされるべきかどうかを判定するように構成される判断モジュールとを含み、トランシーバモジュールが、もし判断モジュールがＵＥはスキャンされる必要があると判定するならば、ＵＥに最初に接続されている基地局にスキャン確認メッセージを送信するとともに、ＵＥに最初に接続されている基地局により送信されるＵＥに関する情報を受信するように更に構成され、そして、ＵＥに関する情報に従ってＵＥを高速にスキャンし、その結果、ＵＥが高周波接続を再確立する、ように構成されるスキャンモジュールを含む、装置を提供する。
【００２５】
第４の態様に関連して、第４の態様の第１の可能な実施方法において、当該装置は、割り当てモジュールと、判定モジュールとを更に含み、割り当てモジュールは、現在の負荷に従ってＵＥに時間−周波数リソースを割り当てるように構成され、判定モジュールは、ＵＥに関する情報に従ってＵＥの位置を判定するように具体的に構成され、スキャンモジュールは、時間−周波数リソース及びＵＥの位置に従ってＵＥの位置に対してビームを発射し、その結果、ＵＥがアップリンクビームとダウンリンクビームとをペアにするとともにビームをロックし、そしてＵＥが高周波接続を再確立する、ように具体的に構成される。
【００２６】
第４の態様、又は第４の態様の第１の可能な実施方法に関連して、第４の態様の第２の可能な実施方法において、トランシーバモジュールは、ＵＥに最初に接続されている基地局に高周波リンク接続ステータスを搬送する接続応答メッセージを送信し、その結果、ＵＥに最初に接続されている基地局が、接続応答メッセージに従ってＵＥを高速にスキャンすることを停止するとともに、ＵＥに対する高周波接続を再確立する基地局を除く、スキャン確認メッセージを送信するアクセスされるべき基地局中の他の基地局に、スキャン停止要求メッセージを送信する、ように更に構成される。
【００２７】
第５の態様によれば、本発明の実施例は、基地局であって、ＵＥとＵＥに現在サービスする基地局との間の高周波リンクが切断されるかどうかを検出するように構成されるプロセッサと、プロセッサがＵＥとＵＥに現在サービスする基地局との間の高周波リンクが切断されたと判定する場合に、ＵＥの位置をカバーすることができるビームが属する１つ又は複数のアクセスされるべき基地局にスキャン要求メッセージを送信し、その結果、１つ又は複数のアクセスされるべき基地局が、スキャン要求メッセージ及び現在の負荷に従って、ＵＥをスキャンするかどうかを判定する、ように構成される送信機とを含み、送信機が、ＵＥに対するスキャンを確認するとともに、１つ又は複数のアクセスされるべき基地局により送信されるスキャン確認メッセージを受信機が受信したあとで、スキャン確認情報をフィードバックする１つ又は複数のアクセスされるべき基地局にＵＥに関する情報を送信し、その結果、スキャン確認情報をフィードバックする１つ又は複数のアクセスされるべき基地局がＵＥに関する情報に従ってＵＥを高速にスキャンし、それにより、ＵＥとアクセスされるべき基地局との間の高周波接続を再確立する、ように更に構成される、基地局を提供する。
【００２８】
第５の態様に関連して、第５の態様の第１の可能な実施方法において、１つ又は複数のアクセスされるべき基地局は、現在ＵＥにサービスする基地局と、ＵＥに対する高周波接続を確立することができる他の基地局とを含む。
【００２９】
第５の態様に関連して、第５の態様の第２の可能な実施方法において、アクセスされるべき基地局は、現在ＵＥにサービスする基地局を除く、ＵＥに対する高周波接続を確立することができる他の基地局のうちの少なくとも１つである。
【００３０】
第５の態様に関連して、第５の態様の第３の可能な実施方法において、ＵＥに関する情報は、ＵＥ識別子、ＵＥスキャン期間、ＵＥ測位情報、及びビーム識別子を含む。
【００３１】
第５の態様、又は第５の態様の第１から第５の態様の第３の可能な実施方法のうちのいずれか１つに関連して、第５の態様の第４の可能な実施方法において、送信機は、高周波接続ステータスを搬送する接続応答メッセージを受信機が受信したあとで、ＵＥに対する高周波接続を再確立する基地局を除く、スキャン確認情報をフィードバックするアクセスされるべき基地局中の他の基地局に、スキャン停止要求メッセージを送信するように更に構成される。
【００３２】
第５の態様、又は第５の態様の第１から第５の態様の第４の可能な実施方法のうちのいずれか１つに関連して、第５の態様の第５の可能な実施方法において、プロセッサは、事前設定された期間の間隔でＵＥの位置をカバーすることができる全てのビームを検出するように更に構成され、送信機は、ＵＥにビーム情報を送信し、その結果、ＵＥが、ビーム情報に従ってビームを測定するとともに測定結果を取得し、ビーム情報が、ビーム識別子、セル識別子、及びアレイ識別子を含む、ように更に構成され、受信機は、ＵＥにより送信される測定結果を受信するように更に構成されるとともに、プロセッサは、測定結果に従って代替ビームを判定し、代替ビームが、ＵＥとアクセスされるべき基地局との間で高周波接続が確立されることを可能にするビームである、ように更に構成される。
【００３３】
第５の態様、又は第５の態様の第１から第５の態様の第５の可能な実施方法のうちのいずれか１つに関連して、第５の態様の第６の可能な実施方法において、プロセッサは、事前設定された期間の間隔でＵＥの現在の位置を取得するとともに、現在の位置をＵＥの位置として使用するように更に構成される。
【００３４】
第６の態様によれば、本発明の実施例は、基地局であって、ユーザ装置ＵＥに最初に接続されている基地局により送信されるスキャン要求メッセージを受信するように構成される受信機と、スキャン要求メッセージ及び現在の負荷に従って、ＵＥをスキャンするかどうかを判定するように構成されるプロセッサと、もしプロセッサがＵＥはスキャンされる必要があると判定するならば、ＵＥに最初に接続されている基地局にスキャン確認メッセージを送信するように構成される送信機とを含み、受信機が、ＵＥに最初に接続されている基地局により送信されるＵＥに関する情報を受信するように更に構成され、プロセッサが、ＵＥに関する情報に従ってＵＥを高速にスキャンし、その結果、ＵＥが高周波接続を再確立する、ように更に構成される、基地局を提供する。
【００３５】
第６の態様に関連して、第６の態様の第１の可能な実施方法において、プロセッサは、現在の負荷に従ってＵＥに時間−周波数リソースを割り当てるように更に構成され、プロセッサは、ＵＥに関する情報に従ってＵＥの位置を判定するとともに、時間−周波数リソース及びＵＥの位置に従ってＵＥの位置に対してビームを発射し、その結果、ＵＥがアップリンクビームとダウンリンクビームとをペアにするとともにビームをロックし、そしてＵＥが高周波接続を再確立する、ように更に構成される。
【００３６】
第６の態様、又は第６の態様の第１の可能な実施方法に関連して、第６の態様の第２の可能な実施方法において、送信機は、ＵＥに最初に接続されている基地局に高周波リンク接続ステータスを搬送する接続応答メッセージを送信し、その結果、ＵＥに最初に接続されている基地局が、接続応答メッセージに従ってＵＥを高速にスキャンすることを停止するとともに、ＵＥに対する高周波接続を再確立する基地局を除く、スキャン確認メッセージを送信するアクセスされるべき基地局中の他の基地局に、スキャン停止要求メッセージを送信する、ように更に構成される。
【００３７】
第６の態様、又は第６の態様の第１から第６の態様の第２の可能な実施方法のいずれかに関連して、第６の態様の第３の可能な実施方法において、ＵＥに関する情報は、ＵＥ識別子、ＵＥスキャン期間、ＵＥ測位情報、及びビーム識別子を含む。
【００３８】
本発明の実施例において提供されるカバレッジホールにおいて高周波通信を実施するための処理方法及び装置、並びにデバイスによれば、ＵＥとＵＥに現在サービスする基地局との間の高周波リンクが切断されるかどうかが検出され、もしＵＥとＵＥに現在サービスする基地局との間の高周波リンクが切断されたと判定されるならば、ＵＥの位置をカバーすることができるビームが属する１つ又は複数のアクセスされるべき基地局にスキャン要求メッセージが送信され、その結果、１つ又は複数のアクセスされるべき基地局が、スキャン要求メッセージ及び現在の負荷に従って、ＵＥをスキャンするかどうかを判定し、ＵＥに対するスキャンを確認するとともに、１つ又は複数のアクセスされるべき基地局により送信されるスキャン確認メッセージが受信されたあとで、スキャン確認情報をフィードバックする１つ又は複数のアクセスされるべき基地局にＵＥに関する情報が送信され、その結果、スキャン確認情報をフィードバックする１つ又は複数のアクセスされるべき基地局がＵＥに関する情報に従ってＵＥを高速にスキャンし、それにより、ＵＥとアクセスされるべき基地局との間の高周波接続を再確立する。ＵＥがカバレッジホールに入り、そしてＵＥと現在ＵＥにサービスする基地局との間の高周波リンクが切断される場合に、ＵＥの位置をカバーすることができる全ての基地局が通知されるとともに、これらの基地局は、基地局の負荷に従って、ＵＥをスキャンするかどうかを判定するように指示され、その結果、ＵＥは、高周波接続を高速に再確立することができ、それにより、通信の連続性を保証するとともに、システムの信頼性を向上させる。
【００３９】
本発明の実施例におけるか又は従来技術における技術的解決法をより明確に説明するために、下記は、実施例又は従来技術を説明するために必要とされる添付図面を簡単に説明する。明らかに、下記の説明における添付図面は本発明の単にいくつかの実施例を表すとともに、当業者は、創造的な努力なしでこれらの添付図面から更に他の図面を導き出し得る。
【図面の簡単な説明】
【００４０】
【図１】本発明による、カバレッジホールにおいて高周波通信を実施するための処理方法の第１のアプリケーションシナリオ（すなわち、高−低周波マクロ／マイクロネットワークアーキテクチャ）の概略の構成図である。
【図２】本発明による、カバレッジホールにおいて高周波通信を実施するための処理方法の第２のアプリケーションシナリオ（すなわち、高−低周波分散型ネットワークアーキテクチャ）の概略の構成図である。
【図３】本発明による、カバレッジホールにおいて高周波通信を実施するための処理方法の実施例１の概略のフローチャートである。
【図４】本発明による、カバレッジホールにおいて高周波通信を実施するための処理方法の実施例５の概略のフローチャートである。
【図５】本発明による、カバレッジホールにおいて高周波通信を実施するための処理装置の実施例１の概略の構造図である。
【図６】本発明による、カバレッジホールにおいて高周波通信を実施するための処理装置の実施例２の概略の構造図である。
【図７】本発明による、カバレッジホールにおいて高周波通信を実施するための処理装置の実施例３の概略の構造図である。
【図８】本発明による、カバレッジホールにおいて高周波通信を実施するための処理装置の実施例４の概略の構造図である。
【図９】本発明による、基地局の実施例１の概略の構造図である。
【図１０】本発明による、基地局の実施例２の概略の構造図である。
【図１１】本発明による、基地局の実施例１の概略の構造図である。
【図１２】本発明の実施例８による、カバレッジホールにおいて高周波通信を実施するための処理方法のシグナリングフローチャートである。
【図１３】本発明の実施例９による、カバレッジホールにおいて高周波通信を実施するための処理方法のシグナリングフローチャートである。
【発明を実施するための形態】
【００４１】
下記は、本発明の実施例における添付図面を参照して、本発明の実施例における技術的解決法を明確に説明する。明らかに、説明される実施例は本発明の実施例の全てではなく単に一部である。創作的な努力なしで本発明の実施例に基づいて当業者により取得される他の全ての実施例は、本発明の保護範囲に含まれるものとする。
【００４２】
図１は、本発明による、カバレッジホールにおいて高周波通信を実施するための処理方法の第１のアプリケーションシナリオ（すなわち、高−低周波マクロ／マイクロネットワークアーキテクチャ）の概略の構成図である。このシナリオでは、マクロ基地局とスモールセルが基地局として使用される一例が、説明のために用いられる。図１において示されたように、高−低周波マクロ／マイクロネットワークアーキテクチャでは、マクロ基地局１１、マイクロ基地局１２、ＵＥ１３が主に含まれる。マクロ基地局１１は、通常、従来のセルラ周波数帯域を使用する（例えばセルラ周波数帯域は２ＧＨｚであり得る）か、又は、比較的低い周波数を有するミリ波周波数帯域を使用して、比較的広い領域との制御プレーンインタラクションの目的を達成することができ、ここで、比較的低い周波数を有するミリ波周波数帯域は、例えば３．５ＧＨｚであり得る。マクロ基地局１１は、前述のセルラ周波数帯域又はミリ波周波数帯域を使用することにより、スモールセル１２又はＵＥ１３と対応するシグナリングインタラクションを実行し得る。さらに、ホットスポットカバレッジを提供するために、マクロ基地局１１のカバレッジ内に複数のスモールセル１２を配置することができる。スモールセル１２は、比較的小さな領域のデータプレーンをカバーするために、比較的高い周波数のミリ波周波数帯域を使用し、例えばミリ波周波数帯域は、２８ＧＨｚ、３８ＧＨｚ、又はＥバンドであり得る。スモールセル１２は、従来のセルラ周波数帯域、又は比較的低い周波数を有するミリ波周波数帯域を使用することにより、マクロ基地局１１とシグナリングインタラクションを実行し得るが、しかし、前述のセルラ周波数帯域、又は比較的低い周波数を有するミリ波周波数帯域を使用することにより、ＵＥ１３とシグナリングインタラクションを実行することができない。さらに、スモールセル１２のカバレッジ内のＵＥ１３は、一般に、比較的高い周波数を有するミリ波周波数帯域を使用することにより、スモールセル１２とデータプレーンインタラクションを実行するとともに、セルラ周波数帯域、又は比較的低い周波数を有するミリ波周波数帯域を使用することにより、マクロ基地局１１と制御プレーンインタラクションを実行する。ＵＥがスモールセルのカバレッジエリアにおけるカバレッジホールに入る場合に、ＵＥの通信は切断される。この場合、ＵＥは、高周波通信の連続性を維持するために、高周波リンクを高速に再確立する必要がある。
【００４３】
さらに、高−低周波マクロ／マイクロネットワークアーキテクチャでは、スモールセルのみが存在し、しかしマクロ基地局が配置されない場合に、スモールセルは、ＵＥとシグナリングインタラクションを実行するために、マクロ基地局に取って代わり得る。
【００４４】
図２は、本発明による、カバレッジホールにおいて高周波通信を実施するための処理方法の第２のアプリケーションシナリオ（すなわち、高−低周波分散型ネットワークアーキテクチャ）の概略の構成図である。図２において示されたように、高−低周波分散型ネットワークアーキテクチャでは、基地局１４、及びＵＥ１３が主に含まれる。基地局１４は、従来のセルラ周波数帯域、例えば２ＧＨｚを使用することにより、又は、比較的低い周波数を有するミリ波周波数帯域を使用することにより、ＵＥ１３と従来の低速セルラ通信、例えば音声伝送を実行することができ、ここで、比較的低い周波数を有するミリ波周波数帯域は、例えば３．５ＧＨｚであり得る。さらに、基地局１４は、比較的高い周波数を有するミリ波周波数帯域を使用することにより、ＵＥ１３と高速通信、例えば映像伝送を更に実行することができ、ここで、比較的高い周波数を有するミリ波周波数帯域は、例えば２８ＧＨｚ、３８ＧＨｚ、又はＥバンドであり得る。ＵＥ１３が基地局１４のカバレッジエリアにおけるカバレッジホールに入る場合に、ＵＥの通信は切断される。この場合、ＵＥは、高周波通信の連続性を維持するために、高周波リンクを高速に再確立する必要がある。
【００４５】
高−低周波マクロ／マイクロネットワークアーキテクチャにおいてＵＥとスモールセルとの間の高周波通信が実行される場合、又は高−低周波分散型ネットワークアーキテクチャにおいてＵＥと基地局との間の高周波通信が実行される場合にかかわらず、ＵＥがカバレッジホールに入ったあとで、通信の連続性を維持するために、どのように高周波リンクを高速に再確立し、それによりシステムの信頼性を向上させるかが非常に重要な問題である、ということが学習され得る。
【００４６】
図１及び図２において示されるアプリケーションシナリオは両方とも、第３世代パートナーシッププロジェクト（3rd  Generation  Partnership  Project、略して３ＧＰＰ）のロングタームエボリューション（Long  Term  Evolution、略してＬＴＥ）セルラネットワークフレームワークであるが、しかし、本発明は、同様に、広いカバレッジを有するセルラネットワークとミリ波セルラ通信とが共存する他のシナリオに適用可能である、という点に注意が必要である。
【００４７】
図３は、本発明による、カバレッジホールにおいて高周波通信を実施するための処理方法の実施例１の概略のフローチャートである。本発明のこの実施例は、カバレッジホールにおいて高周波通信を実施するための処理方法を提供し、ここで、方法は、カバレッジホールにおいて高周波通信を実施するための処理方法を実行するあらゆる装置によって実行され得るとともに、装置は、ソフトウェア及び／又はハードウェアを使用することにより実施され得る。この実施例において、装置は、マクロ基地局／スモールセル／基地局に統合され得る。
【００４８】
図１又は図２において示された前述のシステムアーキテクチャに基づくと、図３において示されたように、この実施例の方法は、下記を含み得る。
【００４９】
ステップ３０１：ＵＥとＵＥに現在サービスする基地局との間の高周波リンクが切断されるかどうかを検出する。
【００５０】
この実施例では、高−低周波マクロ／マイクロネットワークアーキテクチャにおいて、もしマクロ基地局が配置されているならば、高周波リンクが、急に切断されるか、又は正常な復調が実行されることができない状態に悪化する場合に、すなわち、ＵＥがカバレッジホールに入る場合に、ＵＥは、低周波リンクを使用することによりＵＥに接続されているマクロ基地局に、低周波数を使用することによりフィードバックメッセージを送信するとともに、カバレッジホール状態の識別子をマクロ基地局に送信して、ＵＥがカバレッジホール内に存在するとともに、正常な高周波通信を実行することができないことをマクロ基地局に通知し、ＵＥに対する低周波接続を実行するマクロ基地局は、受信されたフィードバックメッセージに従って、ＵＥとＵＥに現在サービスする基地局との間の高周波リンクが切断されるかどうかを検出する。
【００５１】
マクロ基地局が配置されない高−低周波マクロ／マイクロネットワークアーキテクチャでは、又は、高−低周波分散型ネットワークアーキテクチャでは、高周波リンクが、急に切断されるか、又は正常な復調が実行されることができない状態に悪化する場合に、スモールセル／基地局は、ＵＥがカバレッジホールに入ったことを学習し、ＵＥとＵＥに現在サービスする基地局との間の高周波リンクが切断されるかどうかを検出し得る。
【００５２】
ステップ３０２：もしＵＥとＵＥに現在サービスする基地局との間の高周波リンクが切断されたと判定されるならば、ＵＥの位置をカバーすることができるビームが属する１つ又は複数のアクセスされるべき基地局にスキャン要求メッセージを送信し、その結果、１つ又は複数のアクセスされるべき基地局が、スキャン要求メッセージ及び現在の負荷に従って、ＵＥをスキャンするかどうかを判定する。
【００５３】
この実施例において、もしＵＥとＵＥに現在サービスする基地局との間の高周波リンクが切断されるならば、そして、ＵＥの位置をカバーする全てのビームはＵＥが高周波リンクにアクセスすることを可能にすることができない、すなわち、ＵＥの代替ビームが存在しないか、又は代替ビームは存在するけれども切り替えが失敗することを、問い合わせることによってＵＥが学習する場合に、スキャン要求情報が、ＵＥの位置をカバーすることができる全てのビームが属するアクセスされるべきスモールセル／アクセスされるべき基地局に送信される。スキャン要求情報を受信したあとで、アクセスされるべきスモールセル／アクセスされるべき基地局は、アクセスされるべきスモールセル／アクセスされるべき基地局の現在の負荷に従って、ＵＥを高速にスキャンするかどうかを判定する。アクセスされるべきスモールセル／アクセスされるべき基地局は、アクセスされるべきスモールセル／アクセスされるべき基地局の現在の負荷が比較的小さい場合に、ＵＥをスキャンすることを判定するか、又は、アクセスされるべきスモールセル／アクセスされるべき基地局の現在の負荷が比較的大きい場合に、ＵＥをスキャンしないことを判定する。
【００５４】
ＵＥの位置をカバーすることができる全てのビームを取得するための方法は、測定したあとで、ＵＥが基地局に直接報告することであってよく、ビームは、基地局によりＵＥを測位することによって取得され得る。具体的な取得方法について、本発明は特定の制限を課さない。
【００５５】
高−低周波分散型ネットワークアーキテクチャでは、基地局は、信号対雑音比（Signal  to  Noise  Ratio、略してＳＮＲ）を使用することにより、記憶されたＵＥの測位情報に従って、又はＵＥに発射されるビームの方向に従ってＵＥのおおよその位置を更に判定し得るとともに、ＵＥの位置を判定したあとで、ビームがＵＥをカバーすることができる基地局を学習し、次に、ＵＥの位置をカバーすることができる全てのビームが属するアクセスされるべき基地局にスキャン要求情報を送信し得る、という点に注意が必要である。
【００５６】
ステップ３０３：ＵＥに対するスキャンを確認するとともに、１つ又は複数のアクセスされるべき基地局により送信されるスキャン確認メッセージを受信したあとで、スキャン確認情報をフィードバックする１つ又は複数のアクセスされるべき基地局にＵＥに関する情報を送信し、その結果、スキャン確認情報をフィードバックする１つ又は複数のアクセスされるべき基地局がＵＥに関する情報に従ってＵＥを高速にスキャンし、それにより、ＵＥとアクセスされるべき基地局との間の高周波接続を再確立する。
【００５７】
この実施例において、もし１つ又は複数のアクセスされるべきスモールセル／１つ又は複数のアクセスされるべき基地局の現在の負荷が比較的小さいならば、ＵＥに対するスキャンを確認するための情報がスキャン確認メッセージに追加されるとともに、スキャン確認メッセージは、上位レイヤシグナリングを使用することにより、マクロ基地局／スモールセル／基地局に送信され、ここで、上位レイヤシグナリングは、例えば、無線リソース制御（Radio  Resource  Control、略してＲＲＣ）シグナリングであってもよい。マクロ基地局／スモールセル／基地局は、スキャン確認メッセージに従って、ＵＥをスキャンすることを判定した１つ又は複数のアクセスされるべきスモールセル／１つ又は複数のアクセスされるべき基地局にＵＥに関する情報を送信する。
【００５８】
スキャン確認情報をフィードバックするアクセスされるべき１つ又は複数のスモールセル／１つ又は複数の基地局は、ＵＥに関する情報に従ってＵＥを高速にスキャンし、現在の負荷に従って特定の時間−周波数リソースをＵＥに割り当て、同時に、ＵＥの位置に対してビームを発射するとともに、ＵＥの位置に対して発射されるビームの方向を調整し、その結果、ＵＥとアクセスされるべき基地局との間で高周波接続が再確立される。ＵＥは、ビームの関連パラメータを測定し（例えばパラメータは、信号対雑音及び干渉比（signal  to  noise  and  interference  ratio、略してＳＩＮＲ）、信号対干渉比（Signal  to  Interference  Ratio、略してＳＩＲ）、チャネル容量、又は信号強度であり得る）、測定結果に従って、ＵＥが高周波リンクにアクセスすることを可能にする全てのビームから最良の信号品質を有するビームを選択するとともに、そのビームを使用することにより、１つ又は複数のアクセスされるべき基地局に対する高周波接続を再確立し、それは、高周波システムの切断確率を減少させ得る。
【００５９】
本発明のこの実施例において提供されるカバレッジホールにおいて高周波通信を実施するための処理方法によれば、ＵＥとＵＥに現在サービスする基地局との間の高周波リンクが切断されるかどうかが検出され、もしＵＥとＵＥに現在サービスする基地局との間の高周波リンクが切断されたと判定されるならば、ＵＥの位置をカバーすることができるビームが属する１つ又は複数のアクセスされるべき基地局にスキャン要求メッセージが送信され、その結果、１つ又は複数のアクセスされるべき基地局が、スキャン要求メッセージ及び現在の負荷に従って、ＵＥをスキャンするかどうかを判定し、ＵＥに対するスキャンを確認するとともに、１つ又は複数のアクセスされるべき基地局により送信されるスキャン確認メッセージが受信されたあとで、スキャン確認情報をフィードバックする１つ又は複数のアクセスされるべき基地局にＵＥに関する情報が送信され、その結果、スキャン確認情報をフィードバックする１つ又は複数のアクセスされるべき基地局がＵＥに関する情報に従ってＵＥを高速にスキャンし、それにより、ＵＥと１つ又は複数のアクセスされるべき基地局との間の高周波接続を再確立する。ＵＥがカバレッジホールに入り、そしてＵＥと現在ＵＥにサービスする基地局との間の高周波リンクが切断される場合に、ＵＥの位置をカバーすることができる全ての基地局が通知されるとともに、これらの基地局は、基地局の負荷に従って、ＵＥをスキャンするかどうかを判定するように指示され、その結果、ＵＥは、高周波接続を高速に再確立することができ、それにより、通信の連続性を保証するとともに、システムの信頼性を向上させる。
【００６０】
任意に、アクセスされるべき基地局は、現在ＵＥにサービスする基地局と、ＵＥに対する高周波接続を確立することができる他の基地局とを含む。
【００６１】
具体的には、マクロ基地局が配置される高−低周波マクロ／マイクロネットワークアーキテクチャでは、アクセスされるべき基地局は、現在ＵＥにサービスする基地局と、ＵＥに対する高周波接続を確立することができる他の基地局とを含む。したがって、低周波リンクを使用することによりＵＥに接続されるマクロ基地局は、現在ＵＥにサービスする基地局と、ＵＥに対する高周波接続を確立することができる全ての基地局に、スキャン要求メッセージを送信する。
【００６２】
任意に、アクセスされるべき基地局は、現在ＵＥにサービスする基地局を除く、ＵＥに対する高周波接続を確立することができる他の基地局のうちの少なくとも１つである。
【００６３】
具体的には、マクロ基地局が配置されない高−低周波マクロ／マイクロネットワークアーキテクチャでは、又は、高−低周波分散型ネットワークアーキテクチャでは、アクセスされるべき基地局は、現在ＵＥにサービスする基地局を含まない。したがって、ＵＥに対する高周波リンクを使用することによりＵＥに最初に接続されているスモールセル／基地局は、ＵＥに対する高周波接続を確立することができる少なくとも１つの基地局にスキャン要求メッセージを送信する。
【００６４】
任意に、ＵＥに関する情報は、ＵＥ識別子、ＵＥスキャン期間、ＵＥ測位情報、及びビーム識別子を含む。
【００６５】
具体的には、ＵＥ識別子は、スキャンされるべきＵＥを識別するために、アクセスされるべき１つ又は複数のスモールセル／１つ又は複数の基地局によって使用され、ＵＥスキャン期間は、スキャンが実行される場合のＵＥスキャン期間に適合させるために使用され、ＵＥ測位情報は、ＵＥの位置を判定するために使用され、それにより、ＵＥをスキャンする場合に、アクセスされるべき１つ又は複数のスモールセル／１つ又は複数の基地局は、ＵＥの位置に従ってＵＥにビームを発射するとともに、ビーム識別子は、ＵＥをスキャンするために使用されるべきビームをアクセスされるべき１つ又は複数のスモールセル／１つ又は複数の基地局に通知するために使用される。
【００６６】
本発明のこの実施例において提供されるカバレッジホールにおいて高周波通信を実施するための処理方法によれば、ＵＥとＵＥに現在サービスする基地局との間の高周波リンクが切断されるかどうかが検出され、もしＵＥとＵＥに現在サービスする基地局との間の高周波リンクが切断されたと判定されるならば、ＵＥの位置をカバーすることができるビームが属する１つ又は複数のアクセスされるべき基地局にスキャン要求メッセージが送信され、その結果、１つ又は複数のアクセスされるべき基地局が、スキャン要求メッセージ及び現在の負荷に従って、ＵＥをスキャンするかどうかを判定し、ＵＥに対するスキャンを確認するとともに、１つ又は複数のアクセスされるべき基地局により送信されるスキャン確認メッセージが受信されたあとで、スキャン確認情報をフィードバックする１つ又は複数のアクセスされるべき基地局にＵＥに関する情報が送信され、その結果、スキャン確認情報をフィードバックする１つ又は複数のアクセスされるべき基地局がＵＥに関する情報に従ってＵＥを高速にスキャンし、それにより、ＵＥとアクセスされるべき基地局との間の高周波接続を再確立する。ＵＥがカバレッジホールに入り、そしてＵＥと現在ＵＥにサービスする基地局との間の高周波リンクが切断される場合に、ＵＥの位置をカバーすることができる全ての基地局が通知されるとともに、これらの基地局は、基地局の負荷に従って、ＵＥをスキャンするかどうかを判定するように指示され、その結果、ＵＥは、高周波接続を高速に再確立することができ、それにより、通信の連続性を保証するとともに、システムの信頼性を向上させる。
【００６７】
本発明の第２の実装例において、前述の方法の実施例において説明されたように、任意に、ＵＥとアクセスされるべき基地局との間で高周波通信が再確立されたあとで、当該方法は、高周波接続ステータスを搬送する接続応答メッセージを受信したあとで、ＵＥに対する高周波接続を再確立する基地局を除く、スキャン確認情報をフィードバックするアクセスされるべき基地局中の他の基地局に、スキャン停止要求メッセージを送信するステップを更に含み得る。
【００６８】
具体的には、高−低周波マクロ／マイクロネットワークアーキテクチャにおいて、もしマクロ基地局が配置されているならば、ＵＥがアクセスされるべき基地局に対する高周波接続を再確立したあとで、ＵＥは、低周波リンクを使用することによりＵＥに接続されているマクロ基地局に、高周波接続ステータスをフィードバックする。高周波接続ステータスを搬送する接続応答メッセージを受信したあとで、マクロ基地局は、ＵＥに対する高周波接続を再確立する第２のスモールセルを除く、ＵＥを高速にスキャンすることを判定する全てのアクセスされるべきスモールセル中の他のスモールセルに、スキャン停止要求メッセージを送信し、その結果、他のスモールセルはＵＥをスキャンすることを停止し、それは、スモールセルのリソースを節約する。
【００６９】
もし高−低周波マクロ／マイクロネットワークアーキテクチャにおいてマクロ基地局が配置されないならば、又は、高−低周波分散型ネットワークアーキテクチャでは、アクセスされるべきスモールセル／アクセスされるべき基地局がＵＥに対する高周波接続を再確立したあとで、この場合、ＵＥに対する高周波接続を再確立するアクセスされるべきスモールセル／アクセスされるべき基地局は、最初に接続されているスモールセル／基地局に、高周波接続ステータスをフィードバックする。高周波接続ステータスを搬送する接続応答メッセージを受信したあとで、最初に接続されているスモールセル／基地局は、ＵＥを高速にスキャンすることを停止するとともに、ＵＥに対する高周波接続を再確立するスモールセル／基地局を除く、ＵＥを高速にスキャンすることを判定する全てのアクセスされるべきスモールセル／アクセスされるべき基地局中の他のスモールセル／基地局に、同時にスキャン停止要求メッセージを送信し、それにより、ＵＥをスキャンすることを停止し、それは、スモールセル／基地局のリソースを節約する。
【００７０】
本発明の第３の実装例において、前述の方法の実施例において説明されたように、任意に、当該方法は、事前設定された期間の間隔でＵＥの位置をカバーすることができる全てのビームを検出するとともに、ＵＥにビーム情報を送信するステップであって、その結果、ＵＥが、ビーム情報に従ってビームを測定するとともに測定結果を取得し、ビーム情報が、ビーム識別子、セル識別子、及びアレイ識別子を含む、ステップと、ＵＥにより送信される測定結果を受信するとともに、測定結果に従って代替ビームを判定するステップであって、代替ビームが、ＵＥとアクセスされるべき基地局との間で高周波接続が確立されることを可能にするビームである、ステップとを更に含み得る。
【００７１】
具体的には、ＵＥが低周波数を使用することによりマクロ基地局にアクセスしたあとで、マクロ基地局は、ＧＰＳのような方法で、ＵＥをカバーすることができる全てのビームを配置するとともに、ビームの関連情報を、同時に低周波数でＵＥに送信することができ、ここで、ビームの関連情報は、ビーム識別子、セル識別子、アレイ識別子などを含む。ビームの関連情報を受信したあとで、ＵＥは、関連情報に従ってビームの関連パラメータを測定し、ここで、ビームの関連パラメータは、例えば、ＳＩＮＲ、ＳＩＲ、チャネル容量、又は信号強度であり得る。ＵＥが、測定結果に従って判定することによって、ビームの関連パラメータの全ての値が事前設定されたしきい値よりも大きいことを学習する場合に、それは、ビームが、ＵＥとアクセスされるべき基地局との間で高周波接続が確立されることを可能にすることができる、ということを意味する。ＵＥは、高周波リンクにアクセスするために、測定結果に従って、最良の信号品質を有するビームを選択し、代替ビームとして、ＵＥとアクセスされるべき基地局との間で高周波接続が確立されることを可能にする他のビームを使用するとともに、低周波数を使用することにより、代替ビームに関する情報を、ＵＥに最初に接続されているスモールセル／基地局にフィードバックする。
【００７２】
さらに、マクロ基地局が配置されない高−低周波マクロ／マイクロネットワークアーキテクチャでは、ＵＥは、周期的にビームを測定して、代替ビームを周期的に更新することができる。周期の値は、低周波リンクを使用することによりＵＥに接続されるマクロ基地局によって別個に設定されてもよく、その場合に、アクセスを実行する各ＵＥは低周波数を使用することにより通知されるか、又は、低周波リンクを使用することによりＵＥに接続されるマクロ基地局によって一様に設定されてもよく、その場合に、全てのＵＥはブロードキャストシグナリングを使用することにより通知される。期間の特定の値の選択及び期間設定方法については、この実施例は特定の限定を課さない。
【００７３】
本発明の第４の実装例において、前述の方法の実施例において説明されたように、任意に、当該方法は、事前設定された期間の間隔でＵＥの現在の位置を取得するとともに、現在の位置をＵＥの位置として使用するステップを更に含み得る。
【００７４】
具体的には、マクロ基地局が配置される高−低周波マクロ／マイクロネットワークアーキテクチャでは、ＵＥとマクロ基地局との間の低周波接続が切断されないので、ＵＥに最初に接続されているマクロ基地局は、ＵＥの現在位置を周期的に測定することができ、測定のあとに取得されたＵＥの現在位置がＵＥの位置として使用される。ＵＥの現在位置が変化すると、ＵＥの位置をカバーするビームが同様に変化し、すなわち、アクセスされるべきスモールセルは周期的に更新される、ということが学習され得る。このようにして、スモールセルがＵＥに対する高周波リンクを首尾よく再確立する確率が増やされ得る。
【００７５】
マクロ基地局が配置されない高−低周波マクロ／マイクロネットワークアーキテクチャでは、又は、高−低周波分散型ネットワークアーキテクチャでは、ＵＥに最初に接続されているスモールセル／基地局とＵＥとの間の接続が切断されるので、ＵＥに最初に接続されているスモールセル／基地局は、ＵＥの現在位置を周期的に更新することができない、という点に注意が必要である。
【００７６】
本発明のこの実施例において提供されるカバレッジホールにおいて高周波通信を実施するための処理方法によれば、ＵＥとＵＥに現在サービスする基地局との間の高周波リンクが切断されるかどうかが検出され、もしＵＥとＵＥに現在サービスする基地局との間の高周波リンクが切断されたと判定されるならば、ＵＥの位置をカバーすることができるビームが属する１つ又は複数のアクセスされるべき基地局にスキャン要求メッセージが送信され、その結果、１つ又は複数のアクセスされるべき基地局が、スキャン要求メッセージ及び現在の負荷に従って、ＵＥをスキャンするかどうかを判定し、ＵＥに対するスキャンを確認するとともに、１つ又は複数のアクセスされるべき基地局により送信されるスキャン確認メッセージが受信されたあとで、スキャン確認情報をフィードバックする１つ又は複数のアクセスされるべき基地局にＵＥに関する情報が送信され、その結果、スキャン確認情報をフィードバックする１つ又は複数のアクセスされるべき基地局がＵＥに関する情報に従ってＵＥを高速にスキャンし、それにより、ＵＥとアクセスされるべき基地局との間の高周波接続を再確立する。ＵＥがカバレッジホールに入り、そしてＵＥと現在ＵＥにサービスする基地局との間の高周波リンクが切断される場合に、ＵＥの位置をカバーすることができる全ての基地局が通知されるとともに、これらの基地局は、基地局の負荷に従って、ＵＥをスキャンするかどうかを判定するように指示され、その結果、ＵＥは、高周波接続を高速に再確立することができ、それにより、通信の連続性を保証するとともに、システムの信頼性を向上させる。さらに、代替ビームが周期的に更新され、それは、基地局がＵＥに対する高周波リンクを首尾よく再確立する確率を増加させるとともに、高周波システムの切断確率を減少させる。
【００７７】
図４は、本発明による、カバレッジホールにおいて高周波通信を実施するための処理方法の実施例５の概略のフローチャートである。本発明のこの実施例は、カバレッジホールにおいて高周波通信を実施するための処理方法を提供し、ここで、方法は、カバレッジホールにおいて高周波通信を実施するための処理方法を実行するあらゆる装置によって実行され得るとともに、装置は、ソフトウェア及び／又はハードウェアを使用することにより実施され得る。この実施例において、装置は、ＵＥに対する高周波接続を再確立する前述のスモールセル／基地局に統合され得る。
【００７８】
図１又は図２において示された前述のシステムアーキテクチャに基づくと、図４において示されたように、この実施例の方法は、下記を含み得る。
【００７９】
ステップ４０１：ＵＥに最初に接続されている基地局により送信されるスキャン要求メッセージを受信するとともに、スキャン要求メッセージ及び現在の負荷に従って、ＵＥをスキャンするかどうかを判定する。
【００８０】
この実施例において、ＵＥがカバレッジホールに入ったあとで、ＵＥに最初に接続されているスモールセル／基地局は、ＵＥと現在ＵＥにサービスする基地局との間の高周波リンクが切断されるかどうかを検出し、もしＵＥと現在ＵＥにサービスする基地局との間の高周波リンクが切断されたと判定されるならば、ＵＥの位置をカバーする全てのビームはＵＥがスモールセル／基地局に対する高周波接続を確立することを可能にすることができない、すなわち、ＵＥの代替ビームが存在しないか、又は代替ビームは存在するけれども切り替えが失敗することを、問い合わせることによってＵＥが学習する場合に、ＵＥに最初に接続されているスモールセル／基地局は、ＵＥの位置をカバーする全てのビームが属するアクセスされるべきスモールセル／アクセスされるべき基地局にスキャン要求メッセージを送信する。ＵＥに最初に接続されているスモールセル／基地局により送信されるスキャン要求メッセージを受信したあとで、アクセスされるべきスモールセル／アクセスされるべき基地局は、アクセスされるべきスモールセル／アクセスされるべき基地局の現在の負荷を判定するとともに、ＵＥをスキャンするかどうかを判定し、もし現在の負荷が比較的小さいならば、ＵＥをスキャンすることを判定するか、又は、もし現在の負荷が比較的大きいならば、ＵＥをスキャンしないことを判定する。
【００８１】
ステップ４０２：もしＵＥがスキャンされる必要があると判定されるならば、ＵＥに最初に接続されている基地局にスキャン確認メッセージを送信するとともに、ＵＥに最初に接続されている基地局により送信されるＵＥに関する情報を受信する。
【００８２】
この実施例において、もしカバレッジホール内のＵＥがスキャンされる必要があると判定されるならば、アクセスされるべきスモールセル／アクセスされるべき基地局は、スキャン確認情報にスキャンを確認するためのメッセージを追加するとともに、スキャン確認情報をマクロ基地局／スモールセル／基地局に送信する。スキャン確認情報を受信したあとで、マクロ基地局／スモールセル／基地局は、スキャン確認情報をフィードバックするアクセスされるべき基地局にＵＥに関する情報を送信する。
【００８３】
ステップ４０３：ＵＥに関する情報に従ってＵＥを高速にスキャンし、その結果、ＵＥが高周波接続を再確立する。
【００８４】
この実施例において、スキャン情報を受信したあとで、スキャン確認情報をフィードバックするアクセスされるべきスモールセル／基地局は、ＵＥに関する情報に従ってＵＥを高速にスキャンし、現在の負荷に従って特定の時間−周波数リソースをＵＥに割り当て、そして、同時に、ＵＥに対して発射されるビームの方向を調整し、その結果、ＵＥは、アクセスされるべきスモールセル／基地局に対する高周波接続を再確立することができる。ＵＥは、ビームの関連パラメータを測定し（例えばパラメータは、ＳＩＮＲ、ＳＩＲ、チャネル容量、又は信号強度であり得る）、測定結果に従って、ＵＥがアクセスされるべきスモールセル／基地局に対する高周波接続を再確立することを可能にする全てのビームから最良の品質を有するビームを選択するとともに、そのビームを使用することにより、アクセスされるべきスモールセル／アクセスされるべき基地局に対する高周波接続を再確立する。
【００８５】
本発明のこの実施例において提供されるカバレッジホールにおいて高周波通信を実施するための処理方法によれば、ＵＥに最初に接続されている基地局により送信されるスキャン要求メッセージが受信され、スキャン要求メッセージ及び現在の負荷に従って、ＵＥをスキャンするかどうかが判定され、もしＵＥがスキャンされる必要があると判定されるならば、ＵＥに最初に接続されている基地局にスキャン確認メッセージが送信されるとともに、ＵＥに最初に接続されている基地局により送信されるＵＥに関する情報が受信され、ＵＥに関する情報に従ってＵＥが高速にスキャンされ、その結果、ＵＥが高周波接続を再確立する。ＵＥに最初に接続されている基地局により送信されるスキャン要求メッセージが受信され、その結果カバレッジホール内のＵＥが高速にスキャンされるので、ＵＥに対する高周波接続を再確立する目的が達成され、システムの信頼性が改善される。
【００８６】
本発明の第６の実装例において、前述の方法の実施例において説明されたように、任意に、ＵＥに関する情報に従ってＵＥを高速にスキャンするステップのまえに、当該方法は、現在の負荷に従ってＵＥに時間−周波数リソースを割り当てるステップを更に含み、ＵＥに関する情報に従ってＵＥを高速にスキャンするステップは、ＵＥに関する情報に従ってＵＥの位置を判定するステップと、時間−周波数リソース及びＵＥの位置に従ってＵＥの位置に対してビームを発射するステップであって、その結果、ＵＥがアップリンクビームとダウンリンクビームとをペアにするとともにビームをロックし、そしてＵＥが高周波接続を再確立する、ステップとを具体的に含む。
【００８７】
具体的には、ＵＥに最初に接続されている基地局により送信されるスキャン情報を受信したあとで、アクセスされるべきスモールセル／アクセスされるべき基地局は、アクセスされるべきスモールセル／アクセスされるべき基地局の現在の負荷に従って特定の時間−周波数リソースをＵＥに割り当てる。さらに、任意に、アクセスされるべきスモールセル／アクセスされるべき基地局は、現在の負荷に従って、ＵＥに割り当てられた時間−周波数リソースを動的に調整することができ、それは、ネットワーク全体のリソース使用率を向上させるとともに、システムのネットワーク容量を向上させる。特定の時間−周波数リソースをＵＥに割り当てたあとで、アクセスされるべきスモールセル／アクセスされるべき基地局は、ＵＥに関する情報に従ってＵＥの位置を判定するとともに、ＵＥに割り当てられた時間−周波数リソース及び判定されたＵＥの位置に従ってＵＥの位置に対してビームを発射する。ＵＥは、ＵＥにより送信されるアップリンクビームと基地局により送信されるダウンリンクビームとをペアにするとともに、もしペアリングが成功したならば、ビームをロックし、そしてロックされたビームを使用することにより、ＵＥとアクセスされるべきスモールセル／アクセスされるべき基地局との間で高周波接続が再確立される。
【００８８】
本発明の第７の実装例において、前述の方法の実施例において説明されたように、任意に、当該方法は、ＵＥに最初に接続されている基地局に高周波リンク接続ステータスを搬送する接続応答メッセージを送信するステップであって、その結果、ＵＥに最初に接続されている基地局が、接続応答メッセージに従ってＵＥを高速にスキャンすることを停止するとともに、ＵＥに対する高周波接続を再確立する基地局を除く、スキャン確認メッセージを送信するアクセスされるべき基地局中の他の基地局に、スキャン停止要求メッセージを送信する、ステップを更に含み得る。
【００８９】
具体的には、高−低周波マクロ／マイクロネットワークアーキテクチャにおいて、もしマクロ基地局が配置されないならば、又は、高−低周波分散型ネットワークアーキテクチャでは、ＵＥに対する高周波接続を再確立するスモールセル／基地局は、ＵＥに最初に接続されているスモールセル／基地局に、高周波リンク接続ステータスを搬送する接続応答メッセージを送信し、その結果、ＵＥに最初に接続されているスモールセル／基地局が、接続応答メッセージに従ってＵＥを高速にスキャンすることを停止するとともに、同時に、ＵＥに対する高周波接続を再確立するスモールセル／基地局を除く、ＵＥを高速にスキャンすることを判定する全てのアクセスされるべきスモールセル／基地局中の他のスモールセル／基地局に、スキャン停止要求メッセージを送信し、その結果、他のスモールセルはＵＥをスキャンすることを停止し、それは、スモールセルのリソースを節約する。
【００９０】
任意に、ＵＥに関する情報は、ＵＥ識別子、ＵＥスキャン期間、ＵＥ測位情報、及びビーム識別子を含む。
【００９１】
具体的には、ＵＥ識別子は、スキャンされるべきＵＥを識別するために、アクセスされるべきスモールセル／基地局によって使用され、ＵＥスキャン期間は、スキャンが実行される場合のＵＥスキャン期間に適合させるために使用され、ＵＥ測位情報は、アクセスされるべきスモールセル／基地局がＵＥをスキャンする場合にＵＥにビームを発射することを可能にするために使用されるとともに、ビーム識別子は、ＵＥをスキャンするために使用されるべきビームをアクセスされたスモールセル／基地局に通知するために使用される。
【００９２】
本発明のこの実施例において提供されるカバレッジホールにおいて高周波通信を実施するための処理方法によれば、ＵＥに最初に接続されている基地局により送信されるスキャン要求メッセージが受信され、スキャン要求メッセージ及び現在の負荷に従って、ＵＥをスキャンするかどうかが判定され、もしＵＥがスキャンされる必要があると判定されるならば、ＵＥに最初に接続されている基地局にスキャン確認メッセージが送信されるとともに、ＵＥに最初に接続されている基地局により送信されるＵＥに関する情報が受信され、ＵＥに関する情報に従ってＵＥが高速にスキャンされ、その結果、ＵＥが高周波接続を再確立する。ＵＥに最初に接続されている基地局により送信されるスキャン要求メッセージが受信され、その結果カバレッジホール内のＵＥが高速にスキャンされるので、ＵＥに対する高周波接続を再確立する目的が達成され、システムの信頼性が改善される。さらに、ＵＥに対する高周波接続を再確立したあとで、ＵＥに最初に接続されている基地局は、ＵＥに対する高周波接続を再確立する基地局を除く、他の基地局に、ＵＥをスキャンすることを中止するように指示し、それは、基地局のリソースを節約する。
【００９３】
図５は、本発明による、カバレッジホールにおいて高周波通信を実施するための処理装置の実施例１の概略の構造図である。図５において示されたように、本発明のこの実施例において提供されるカバレッジホールにおいて高周波通信を実施するための処理装置は、検出モジュール５０１と、トランシーバモジュール５０２とを含む。
【００９４】
検出モジュール５０１は、ＵＥとＵＥに現在サービスする基地局との間の高周波リンクが切断されるかどうかを検出するように構成される。トランシーバモジュール５０２は、もしＵＥとＵＥに現在サービスする基地局との間の高周波リンクが切断されたと判定されるならば、ＵＥの位置をカバーすることができるビームが属する１つ又は複数のアクセスされるべき基地局にスキャン要求メッセージを送信し、その結果、１つ又は複数のアクセスされるべき基地局が、スキャン要求メッセージ及び現在の負荷に従って、ＵＥをスキャンするかどうかを判定する、ように構成される。トランシーバモジュール５０２は、ＵＥに対するスキャンを確認するとともに、１つ又は複数のアクセスされるべき基地局により送信されるスキャン確認メッセージを受信したあとで、スキャン確認情報をフィードバックする１つ又は複数のアクセスされるべき基地局にＵＥに関する情報を送信し、その結果、スキャン確認情報をフィードバックする１つ又は複数のアクセスされるべき基地局がＵＥに関する情報に従ってＵＥを高速にスキャンし、それにより、ＵＥとアクセスされるべき基地局との間の高周波接続を再確立する、ように更に構成される。
【００９５】
本発明のこの実施例において提供されるカバレッジホールにおいて高周波通信を実施するための処理装置によれば、ＵＥとＵＥに現在サービスする基地局との間の高周波リンクが切断されるかどうかが検出され、もしＵＥとＵＥに現在サービスする基地局との間の高周波リンクが切断されたと判定されるならば、ＵＥの位置をカバーすることができるビームが属する１つ又は複数のアクセスされるべき基地局にスキャン要求メッセージが送信され、その結果、１つ又は複数のアクセスされるべき基地局が、スキャン要求メッセージ及び現在の負荷に従って、ＵＥをスキャンするかどうかを判定し、ＵＥに対するスキャンを確認するとともに、１つ又は複数のアクセスされるべき基地局により送信されるスキャン確認メッセージが受信されたあとで、スキャン確認情報をフィードバックする１つ又は複数のアクセスされるべき基地局にＵＥに関する情報が送信され、その結果、スキャン確認情報をフィードバックする１つ又は複数のアクセスされるべき基地局がＵＥに関する情報に従ってＵＥを高速にスキャンし、それにより、ＵＥとアクセスされるべき基地局との間の高周波接続を再確立する。ＵＥがカバレッジホールに入り、そしてＵＥと現在ＵＥにサービスする基地局との間の高周波リンクが切断される場合に、ＵＥの位置をカバーすることができる全ての基地局が通知されるとともに、これらの基地局は、基地局の負荷に従って、ＵＥをスキャンするかどうかを判定するように指示され、その結果、ＵＥは、高周波接続を高速に再確立することができ、それにより、通信の連続性を保証するとともに、システムの信頼性を向上させる。
【００９６】
任意に、アクセスされるべき基地局は、現在ＵＥにサービスする基地局と、ＵＥに対する高周波接続を確立することができる他の基地局とを含む。
【００９７】
任意に、アクセスされるべき基地局は、現在ＵＥにサービスする基地局を除く、ＵＥに対する高周波接続を確立することができる他の基地局のうちの少なくとも１つである。
【００９８】
任意に、ＵＥに関する情報は、ＵＥ識別子、ＵＥスキャン期間、ＵＥ測位情報、及びビーム識別子を含む。
【００９９】
任意に、トランシーバモジュール５０２は、高周波接続ステータスを搬送する接続応答メッセージを受信したあとで、ＵＥに対する高周波接続を再確立する基地局を除く、スキャン確認情報をフィードバックするアクセスされるべき基地局中の他の基地局に、スキャン停止要求メッセージを送信するように更に構成される。
【０１００】
図６は、本発明による、カバレッジホールにおいて高周波通信を実施するための処理装置の実施例２の概略の構造図である。図６において示されたように、この実施例は、図５において示された実施例に基づいており、装置は、判定モジュール５０３を更に含む。
【０１０１】
検出モジュール５０１は、事前設定された期間の間隔でＵＥの位置をカバーすることができる全てのビームを検出するように更に構成される。トランシーバモジュール５０２は、ＵＥにビーム情報を送信し、その結果、ＵＥが、ビーム情報に従ってビームを測定するとともに測定結果を取得し、ビーム情報が、ビーム識別子、セル識別子、及びアレイ識別子を含む、ように更に構成される。トランシーバモジュール５０２は、ＵＥにより送信される測定結果を受信するように更に構成される。判定モジュール５０３は、測定結果に従って代替ビームを判定し、代替ビームが、ＵＥとアクセスされるべき基地局との間で高周波接続が確立されることを可能にするビームである、ように構成される。
【０１０２】
任意に、装置は、取得モジュール５０４を更に含み、ここで、取得モジュール５０４は、事前設定された期間の間隔でＵＥの現在の位置を取得するとともに、現在の位置をＵＥの位置として使用するように構成される。
【０１０３】
この実施例におけるカバレッジホールにおいて高周波通信を実施するための処理装置は、本発明のいずれかの実施例において提供されるカバレッジホールにおいて高周波通信を実施するための処理方法の技術的解決法を実行するように構成され得る。装置の実施原理及び技術的効果は同様であり、詳細はここでは説明されない。
【０１０４】
図７は、本発明による、カバレッジホールにおいて高周波通信を実施するための処理装置の実施例３の概略の構造図である。図７において示されたように、本発明のこの実施例において提供されるカバレッジホールにおいて高周波通信を実施するための処理装置は、トランシーバモジュール７０１と、判断モジュール７０２と、スキャンモジュール７０３とを含む。
【０１０５】
トランシーバモジュール７０１は、ユーザ装置ＵＥに最初に接続されている基地局により送信されるスキャン要求メッセージを受信するように構成される。判断モジュール７０２は、スキャン要求メッセージ及び現在の負荷に従って、ＵＥがスキャンされるべきかどうかを判定するように構成される。トランシーバモジュール７０１は、もし判断モジュールがＵＥはスキャンされる必要があると判定するならば、ＵＥに最初に接続されている基地局にスキャン確認メッセージを送信するとともに、ＵＥに最初に接続されている基地局により送信されるＵＥに関する情報を受信するように更に構成される。スキャンモジュール７０３は、ＵＥに関する情報に従ってＵＥを高速にスキャンし、その結果、ＵＥが高周波接続を再確立する、ように構成される。
【０１０６】
本発明のこの実施例において提供されるカバレッジホールにおいて高周波通信を実施するための処理装置によれば、ＵＥに最初に接続されている基地局により送信されるスキャン要求メッセージが受信され、スキャン要求メッセージ及び現在の負荷に従って、ＵＥをスキャンするかどうかが判定され、もしＵＥがスキャンされる必要があると判定されるならば、ＵＥに最初に接続されている基地局にスキャン確認メッセージが送信されるとともに、ＵＥに最初に接続されている基地局により送信されるＵＥに関する情報が受信され、ＵＥに関する情報に従ってＵＥが高速にスキャンされ、その結果、ＵＥが高周波接続を再確立する。ＵＥに最初に接続されている基地局により送信されるスキャン要求メッセージが受信され、その結果カバレッジホール内のＵＥが高速にスキャンされるので、ＵＥに対する高周波接続を再確立する目的が達成され、システムの信頼性が改善される。
【０１０７】
図８は、本発明による、カバレッジホールにおいて高周波通信を実施するための処理装置の実施例４の概略の構造図である。図８において示されたように、この実施例は、図７において示された実施例に基づいており、装置は、割り当てモジュール７０４と、判定モジュール７０５とを更に含む。
【０１０８】
割り当てモジュール７０４は、現在の負荷に従ってＵＥに時間−周波数リソースを割り当てるように構成される。
【０１０９】
判定モジュール７０５は、ＵＥに関する情報に従ってＵＥの位置を判定するように具体的に構成される。
【０１１０】
スキャンモジュール７０３は、時間−周波数リソース及びＵＥの位置に従ってＵＥの位置に対してビームを発射し、その結果、ＵＥがアップリンクビームとダウンリンクビームとをペアにするとともにビームをロックし、そしてＵＥが高周波接続を再確立する、ように具体的に構成される。
【０１１１】
任意に、トランシーバモジュール７０１は、ＵＥに最初に接続されている基地局に高周波リンク接続ステータスを搬送する接続応答メッセージを送信し、その結果、ＵＥに最初に接続されている基地局が、接続応答メッセージに従ってＵＥを高速にスキャンすることを停止するとともに、ＵＥに対する高周波接続を再確立する基地局を除く、スキャン確認メッセージを送信するアクセスされるべき基地局中の他の基地局に、スキャン停止要求メッセージを送信する、ように更に構成される。
【０１１２】
この実施例におけるカバレッジホールにおいて高周波通信を実施するための処理装置は、本発明のいずれかの実施例において提供されるカバレッジホールにおいて高周波通信を実施するための処理方法の技術的解決法を実行するように構成され得る。装置の実施原理及び技術的効果は同様であり、詳細はここでは説明されない。
【０１１３】
図９は、本発明による、基地局の実施例１の概略の構造図である。図９において示されたように、本発明のこの実施例において提供される基地局は、プロセッサ９０１と、送信機９０２とを含む。
【０１１４】
プロセッサ９０１は、ＵＥとＵＥに現在サービスする基地局との間の高周波リンクが切断されるかどうかを検出するように構成される。送信機９０２は、プロセッサがＵＥとＵＥに現在サービスする基地局との間の高周波リンクが切断されたと判定する場合に、ＵＥの位置をカバーすることができるビームが属する１つ又は複数のアクセスされるべき基地局にスキャン要求メッセージを送信し、その結果、１つ又は複数のアクセスされるべき基地局が、スキャン要求メッセージ及び現在の負荷に従って、ＵＥをスキャンするかどうかを判定する、ように構成される。送信機９０２は、ＵＥに対するスキャンを確認するとともに、１つ又は複数のアクセスされるべき基地局により送信されるスキャン確認メッセージを受信機が受信したあとで、スキャン確認情報をフィードバックする１つ又は複数のアクセスされるべき基地局にＵＥに関する情報を送信し、その結果、スキャン確認情報をフィードバックする１つ又は複数のアクセスされるべき基地局がＵＥに関する情報に従ってＵＥを高速にスキャンし、それにより、ＵＥとアクセスされるべき基地局との間の高周波接続を再確立する、ように更に構成される。
【０１１５】
この実施例において提供される基地局は、本発明のいずれかの実施例において提供されるカバレッジホールにおいて高周波通信を実施するための処理方法の技術的解決法を実行するように構成され得る。基地局の実施原理及び技術的効果は同様であり、詳細はここでは説明されない。
【０１１６】
任意に、アクセスされるべき基地局は、現在ＵＥにサービスする基地局と、ＵＥに対する高周波接続を確立することができる他の基地局とを含む。
【０１１７】
任意に、アクセスされるべき基地局は、現在ＵＥにサービスする基地局を除く、ＵＥに対する高周波接続を確立することができる他の基地局のうちの少なくとも１つである。
【０１１８】
任意に、ＵＥに関する情報は、ＵＥ識別子、ＵＥスキャン期間、ＵＥ測位情報、及びビーム識別子を含む。
【０１１９】
任意に、送信機９０２は、高周波接続ステータスを搬送する接続応答メッセージを受信機が受信したあとで、ＵＥに対する高周波接続を再確立する基地局を除く、スキャン確認情報をフィードバックするアクセスされるべき基地局中の他の基地局に、スキャン停止要求メッセージを送信するように更に構成される。
【０１２０】
図１０は、本発明による、基地局の実施例２の概略の構造図である。図１０において示されたように、この実施例は、図９において示された実施例に基づいており、基地局は、受信機９０３を更に含む。
【０１２１】
プロセッサ９０１は、事前設定された期間の間隔でＵＥの位置をカバーすることができる全てのビームを検出するように更に構成される。送信機９０２は、ＵＥにビーム情報を送信し、その結果、ＵＥが、ビーム情報に従ってビームを測定するとともに測定結果を取得し、ビーム情報が、ビーム識別子、セル識別子、及びアレイ識別子を含む、ように更に構成される。受信機９０３は、ＵＥにより送信される測定結果を受信するように構成される。プロセッサ９０１は、測定結果に従って代替ビームを判定し、代替ビームが、ＵＥとアクセスされるべき基地局との間で高周波接続が確立されることを可能にするビームである、ように更に構成される。
【０１２２】
任意に、プロセッサ９０１は、事前設定された期間の間隔でＵＥの現在の位置を取得するとともに、現在の位置をＵＥの位置として使用するように更に構成される。
【０１２３】
この実施例において提供される基地局は、本発明のいずれかの実施例において提供されるカバレッジホールにおいて高周波通信を実施するための処理方法の技術的解決法を実行するように構成され得る。基地局の実施原理及び技術的効果は同様であり、詳細はここでは説明されない。
【０１２４】
図１１は、本発明による、基地局の実施例１の概略の構造図である。図１１において示されたように、本発明のこの実施例において提供される基地局は、受信機１１０１と、プロセッサ１１０２と、送信機１１０３とを含む。
【０１２５】
受信機１１０１は、ユーザ装置ＵＥに最初に接続されている基地局により送信されるスキャン要求メッセージを受信するように構成される。プロセッサ１１０２は、スキャン要求メッセージ及び現在の負荷に従って、ＵＥをスキャンするかどうかを判定するように構成される。送信機１１０３は、もしプロセッサがＵＥはスキャンされる必要があると判定するならば、ＵＥに最初に接続されている基地局にスキャン確認メッセージを送信するように構成される。受信機１１０１は、ＵＥに最初に接続されている基地局により送信されるＵＥに関する情報を受信するように更に構成される。プロセッサ１１０２は、ＵＥに関する情報に従ってＵＥを高速にスキャンし、その結果、ＵＥが高周波接続を再確立する、ように更に構成される。
【０１２６】
この実施例において提供される基地局は、本発明のいずれかの実施例において提供されるカバレッジホールにおいて高周波通信を実施するための処理方法の技術的解決法を実行するように構成され得る。基地局の実施原理及び技術的効果は同様であり、詳細はここでは説明されない。
【０１２７】
任意に、プロセッサ１１０２は、現在の負荷に従ってＵＥに時間−周波数リソースを割り当てるように更に構成される。プロセッサ１１０２は、ＵＥに関する情報に従ってＵＥの位置を判定するとともに、時間−周波数リソース及びＵＥの位置に従ってＵＥの位置に対してビームを発射し、その結果、ＵＥがアップリンクビームとダウンリンクビームとをペアにするとともにビームをロックし、そしてＵＥが高周波接続を再確立する、ように更に構成される。
【０１２８】
任意に、送信機１１０３は、ＵＥに最初に接続されている基地局に高周波リンク接続ステータスを搬送する接続応答メッセージを送信し、その結果、ＵＥに最初に接続されている基地局が、接続応答メッセージに従ってＵＥを高速にスキャンすることを停止するとともに、ＵＥに対する高周波接続を再確立する基地局を除く、スキャン確認メッセージを送信するアクセスされるべき基地局中の他の基地局に、スキャン停止要求メッセージを送信する、ように更に構成される。
【０１２９】
任意に、ＵＥに関する情報は、ＵＥ識別子、ＵＥスキャン期間、ＵＥ測位情報、及びビーム識別子を含む。
【０１３０】
図１２を参照すると、本発明の実施例８は、カバレッジホールにおいて高周波通信を実施するための処理方法を更に提供し、当該方法は、下記のステップを含む。
【０１３１】
Ｓ１０１：ＵＥは、測定結果に従って、アクセスを実行する基地局（例えば、ＢＳ１）の高周波ビームを選択する。
【０１３２】
Ｓ１０２：基地局がＵＥの高周波アップリンク信号品質が特定のしきい値に悪化したことを検出する場合、又は、ＵＥによりフィードバックされた高周波チャネル品質が特定のしきい値に悪化した場合、又は、基地局がＵＥからのフィードバックを特定の事前設定された時間内に受信しない場合、又は、基地局がＵＥの高周波アップリンクデータを受信するビット誤り率が特定のしきい値まで増える場合、又は、ＵＥの高周波リンクが、急に切断されるか、若しくは正常な復調が実行されることができない状態に悪化するとともに、切り替え可能な代替ビームが存在しないか、若しくは切り替えが失敗する場合に、ＵＥがカバレッジホールに入ったということが判定される。
【０１３３】
Ｓ１０３：最初に接続されている基地局（例えば、ＢＳ１）は、ＵＥのおおよその位置を判定し、カバレッジホール内のＵＥの領域にビームを発射し、ＵＥを高速にスキャンする。カバレッジホール内のＵＥの位置を判定することは、記憶されたＵＥ測位情報に従って位置を判定すること、又はＵＥに対して発射されるビームの方向に従ってＳＮＲを使用することにより位置を判定することであり得る。
【０１３４】
Ｓ１０４：最初に接続されている基地局は、ＵＥの位置を判定し、ＵＥをカバーすることができる特定の基地局の特定の高周波ビームを知ることができるとともに、ＵＥの領域をカバーすることができる高周波ビームが属する対象の基地局（例えば、ＢＳ２及びＢＳ３）に、カバレッジホール内のＵＥを高速にスキャンすることの要求を送信する。対象の基地局を判定する方法は、ＵＥの位置に応じて対象の基地局を判定する方法に限定されない。
【０１３５】
Ｓ１０５：高速スキャン要求を受信したあとで、他の基地局は、高速スキャン要求を実行するかどうかを判定し、上位層のシグナリング（例えば、ＲＲＣシグナリング）を使用することにより、ＵＥが接続されている基地局に対してフィードバックを実行するか、又はフィードバックを実行しないかもしれない。高速スキャンを実行するかどうかを判定することは、基地局の現在の負荷に従って、高速スキャンを実行するかどうかを判定することを含む。例えば、もし基地局の現在の負荷が比較的高いならば、高速スキャンは実行されないか、又は、もし基地局の現在の負荷が比較的低いならば、高速スキャンが実行される必要があると判定され、それは、負荷に応じた方法に限定されない。
【０１３６】
Ｓ１０６：最初に接続されている基地局は、カバレッジホール内のＵＥに関する情報（ＵＥ  ＩＤ、ＵＥスキャン期間、ＵＥ測位情報、スモールセルスキャンビームＩＤなど）を、高速スキャン要求を受け入れる基地局に送信する。
【０１３７】
Ｓ１０７：高速スキャン要求を受け入れる基地局は、カバレッジホール内のＵＥを高速にスキャンし、特定の時間−周波数リソースを割り当て、ＵＥ測位情報に従ってカバレッジホール内のＵＥの領域にビームを発射する。
【０１３８】
Ｓ１０８：ＵＥ端末は、高周波接続を再確立するために、ペアリング及びロッキングを実行するためのＲＸビーム及び受信されたＴＸビームを選択する。
【０１３９】
Ｓ１０９：ＵＥに対する高周波接続を確立する基地局は、最初に接続されている基地局に、ＵＥの高周波接続ステータスのフィードバックを送信する。
【０１４０】
Ｓ１１０：最初に接続されている基地局は、高速スキャンを停止し、カバレッジホール内のＵＥを高速にスキャンしている基地局に高速スキャン停止命令を送信する。
【０１４１】
図１３を参照すると、本発明の実施例９は、カバレッジホールにおいて高周波通信を実施するための処理方法を更に提供し、当該方法は、下記のステップを含む。
【０１４２】
Ｓ２０１：ＵＥは、測定結果に応じて、基地局ＢＳ１の高周波ビームを選択してアクセスを実行する。
【０１４３】
Ｓ２０２：基地局ＢＳ１がＵＥの高周波アップリンク信号品質が特定のしきい値に悪化したことを検出する場合、又は、ＵＥによりフィードバックされた高周波チャネル品質が特定のしきい値に悪化した場合、又は、基地局が特定の事前設定された時間内にＵＥからフィードバックを受信しない場合、又は、基地局がＵＥの高周波アップリンクデータを受信するビット誤り率が特定のしきい値まで増える場合、又は、ＵＥの高周波リンクが、急に切断されるか、若しくは正常な復調が実行されることができない状態に悪化するとともに、切り替え可能な代替ビームが存在しないか、若しくは切り替えが失敗する場合に、ＵＥがカバレッジホールに入ったということが判定される。
【０１４４】
Ｓ２０３：基地局ＢＳ１は、ＵＥのおおよその位置を判定し、カバレッジホール内のＵＥの領域にビームを発射し、ＵＥを高速にスキャンする。カバレッジホール内のＵＥの位置を判定することは、記憶されたＵＥ測位情報に従って位置を判定すること、又はＵＥに対して発射されるビームの方向に従ってＳＮＲを使用することにより位置を判定することであり得る。
【０１４５】
Ｓ２０４：基地局ＢＳ１は、ＵＥの位置に従って、ＵＥをカバーすることができる特定の基地局の特定の高周波ビームを知ることができるとともに、ＵＥの領域をカバーすることができる高周波ビームが属する対象の基地局（例えば、基地局ＢＳ２及びＢＳ３）に高速スキャン要求フレームを送信し、ここで、要求フレームは、カバレッジホール内のＵＥをスキャンすることの要求、及びカバレッジホール内のＵＥに関する情報（ＵＥ  ＩＤ、ＵＥスキャン期間、ＵＥ測位情報、スモールセルスキャンビームＩＤなど）を含む。対象の基地局を判定する方法は、ＵＥの位置に応じて対象の基地局を判定する方法に限定されない。
【０１４６】
Ｓ２０５：高速スキャン要求を受信した基地局は、高速スキャン要求を実行するかどうかを判定し、もしスキャンが実行される必要があると判定されるならば、カバレッジホール内のＵＥについての受信された情報に従ってＵＥを高速にスキャンし、特定の時間−周波数リソースを割り当て、ＵＥ測位情報に従って、カバレッジホール内のＵＥの領域にビームを発射し、高速スキャン要求を受信した基地局は、基地局が高速スキャンを実行するかどうかの結果を、最初に接続されている基地局にフィードバックしてもよいし、又はフィードバックしなくてもよい。高速スキャン要求を受信した基地局が、高速スキャンを実行するかどうかを判定することは、基地局の現在の負荷に従って、高速スキャンを実行するかどうかを判定することを含む。例えば、もし基地局の現在の負荷が比較的高いならば、高速スキャンは実行されないか、又は、もし基地局の現在の負荷が比較的低いならば、高速スキャンが実行される必要があると判定され、それは、負荷に応じた方法に限定されない。
【０１４７】
Ｓ２０６：ＵＥ端末は、高周波接続を再確立するために、ビームペアリング及びロッキングを実行するためのＲＸビーム及び受信されたＴＸビームを選択する。
【０１４８】
Ｓ２０７：ＵＥに対する高周波接続を確立する基地局は、最初に接続されている基地局に、ＵＥの高周波接続ステータスのフィードバックを送信する。
【０１４９】
Ｓ２０８：最初に接続されている基地局は、高速スキャンを停止し、カバレッジホール内のＵＥを高速にスキャンしている基地局に高速スキャン停止命令を送信する。
【０１５０】
本発明の前述の実施例は、相互に結合されていることができるか、又は単独で存在することができ、それにより、前述の通信処理方法を実行することができるか、又は前述の通信処理装置（例えば、最初に接続されている基地局、又は対象のアクセスされるべき基地局）の機能を実施することができる。
【０１５１】
この実施例において提供される基地局は、本発明のいずれかの実施例において提供されるカバレッジホールにおいて高周波通信を実施するための処理方法の技術的解決法を実行するように構成され得る。基地局の実施原理及び技術的効果は同様であり、詳細はここでは説明されない。
【０１５２】
都合が良くそして簡潔な記述のために、前述の機能モジュールの分割は例示のための一例とみなされる、ということが当業者によって明らかに理解され得る。実際のアプリケーションにおいて、前述の機能は異なる機能モジュールに割り当てられることができるとともに、必要条件に従って実施されることができ、すなわち、装置の内部構造は、上述の機能の全部又は一部を実施するために、異なる機能モジュールに分割される。前述のシステム、装置、及びユニットの詳細な作業処理については、前述の方法の実施例の対応する処理に対して参照が行われ得るとともに、詳細は再度ここでは説明されない。
【０１５３】
本出願において提供されるいくらかの実施例において、開示されたシステム、装置、及び方法は他の様式で実施され得る、ということが理解されるべきである。例えば、説明された装置の実施例は、単に代表的である。例えば、モジュール又はユニットの分割は、単に論理的な機能の分割であるとともに、実際の実装例では他の分割であるかもしれない。例えば、複数のユニット又はコンポーネントは、他のシステムに結合され得るか若しくは統合され得るか、又は、いくつかの特徴は、無視され得るか若しくは実行されないかもしれない。さらに、表示されたか若しくは論じられた相互の結合又は直接的な結合又は通信接続は、いくつかインタフェースを使用することにより実施され得る。装置若しくはユニットの間の間接的な結合又は通信接続は、電子的方式、機械的方式、又は他の方式において実施され得る。
【０１５４】
別個の部品として説明されるユニットは、物理的に分離しているかもしれないし、又は物理的に分離していないかもしれないとともに、ユニットとして表示される部品は、物理的なユニットであるかもしれないし、又は物理的なユニットでないかもしれず、１つの位置に位置付けられるかもしれないし、又は複数のネットワークユニットに対して分散されるかもしれない。いくつか又は全てのユニットは、実施例の解決法の目的を達成するために、実際のニーズに従って選択され得る。
【０１５５】
さらに、本出願の実施例における機能ユニットは１つの演算処理装置に統合され得るか、又は、それぞれのユニットは物理的に単独で存在し得るか、又は、２つ以上のユニットは１つのユニットに統合される。統合されたユニットは、ハードウェアの形式で実施され得るか、又は、ソフトウェア機能ユニットの形式で実施され得る。
【０１５６】
統合されたユニットがソフトウェア機能ユニットの形式で実施されるとともに、独立した製品として販売されるか又は使用される場合に、統合されたユニットはコンピュータ読み取り可能な記憶媒体に記憶され得る。そのような理解に基づくと、本出願の技術的解決法は本質的に、又は、従来技術に貢献する部分は、又は、技術的解決法の全て若しくは一部分は、ソフトウェア製品の形式で実施され得る。ソフトウェア製品は、記憶媒体に記憶されるとともに、コンピュータ装置（それはパーソナルコンピュータ、サーバ、若しくはネットワーク装置であり得る）又はプロセッサ（processor）に、本出願の実施例において説明された方法のステップの全て又は一部分を実行するように指示するためのいくらかの命令を含む。前述の記憶媒体は、ＵＳＢフラッシュドライブ、リムーバブルハードディスク、読出し専用メモリ（ＲＯＭ、Read-Only  Memory）、ランダムアクセスメモリ（ＲＡＭ、Random  Access  Memory）、磁気ディスク又は光ディスクのような、プログラムコードを記憶することができるあらゆる媒体を含む。
【０１５７】
結論として、前述の実施例は、本出願を限定するためではなく、単に本出願の技術的解決法を説明するために意図されているに過ぎない。前述の実施例に関連して本出願が詳細に説明されたが、当業者は、彼らが、本出願の実施例の技術的解決法の範囲から逸脱することなく、前述の実施例において説明された技術的解決法にさらに修正を行い得るか、又は、それらのいくつかの技術的特徴に等価な置換を行い得る、ということを理解すべきである。
【図１】
0006415688.tif 000002
【図２】
0006415688.tif 000003
【図３】
0006415688.tif 000004
【図４】
0006415688.tif 000005
【図５】
0006415688.tif 000006
【図６】
0006415688.tif 000007
【図７】
0006415688.tif 000008
【図８】
0006415688.tif 000009
【図９】
0006415688.tif 000010
【図１０】
0006415688.tif 000011
【図１１】
0006415688.tif 000012
【図１２】
0006415688.tif 000013
【図１３】
0006415688.tif 000014